(57)【要約】 【課題】最適なピッキング順を設定するための仕組みを実現可能な情報処理システム、情報処理方法およびプログラムを提供する。【解決手段】本発明の情報処理システムは、第１の取得部と決定部とを備える。第１の取得部は、複数の物品ごとに、該物品の重量および寸法を紐付けた物品リストを取得する。決定部は、物品リストに基づいて、重量および寸法の順に物品を並べ、その並べた結果を反映させて、複数の物品ごとに該物品の収納先となる棚を決定する。【選択図】図６
2018144964.tif 000002
【特許請求の範囲】
【請求項１】
複数の物品ごとに、該物品の重量および寸法を紐付けた物品リストを取得する第１の取得部と、
前記物品リストに基づいて、重量および寸法の順に物品を並べ、その並べた結果を反映させて、前記複数の物品ごとに該物品の収納先となる棚を決定する決定部と、を備える、
情報処理システム。
【請求項２】
前記決定部は、重量および寸法が大きい物品ほど上流側の棚に収納されるよう、該物品の収納先となる棚を決定する、
請求項１に記載の情報処理システム。
【請求項３】
前記決定部は、前記複数の物品ごとに該物品が収納される棚を示す棚配置リストを生成する、
請求項１または２に記載の情報処理システム。
【請求項４】
注文を受けた１以上の物品を示すオーダリストを取得する第２の取得部と、
前記物品リストを参照して、前記オーダリストに示された物品を重量および寸法の順に並べ、その並べた結果に基づいて、ピッキングの順番を示すピッキングリストを生成するピッキングリスト生成部と、を備える、
請求項３に記載の情報処理システム。
【請求項５】
前記ピッキングリスト生成部は、重量および寸法が大きい物品ほどピッキングの順番が早くなるよう、前記ピッキングリストを生成する、
請求項４に記載の情報処理システム。
【請求項６】
複数の物品ごとに、該物品の重量および寸法を紐付けた物品リストを取得する第１の取得ステップと、
前記物品リストに基づいて、重量および寸法の順に物品を並べ、その並べた結果を反映させて、前記複数の物品ごとに該物品の収納先となる棚を決定する決定ステップと、を有する、
情報処理方法。
【請求項７】
コンピュータに、
複数の物品ごとに、該物品の重量および寸法を紐付けた物品リストを取得する第１の取得ステップと、
前記物品リストに基づいて、重量および寸法の順に物品を並べ、その並べた結果を反映させて、前記複数の物品ごとに該物品の収納先となる棚を決定する決定ステップと、を実行させるためのプログラム。
【発明の詳細な説明】
【技術分野】
【０００１】
本発明は、情報処理システム、情報処理方法およびプログラムに関する。
【背景技術】
【０００２】
物流倉庫において、どこに物品を保管するかは、効率の点で重要視されている。そこで良く出るものをまとめて近くの棚に配置したり、ピッキング作業する人が最小限の歩行距離で作業できたりするように勘と経験で季節的な流量を勘案して配置されてきた。また、実際の出庫量を元に、シミュレーションが行われ、それに基づいて配置される技術も知られている。
【０００３】
例えば特許文献１には、倉庫の棚への効率的な保管を行う目的で、重量や寸法を計測し、効率的に積み上げるシステムが開示されている。
【発明の概要】
【発明が解決しようとする課題】
【０００４】
しかしながら従来の技術では、歩数削減など経路の最適化は行われているが、複数の物品をピッキングする時に効率的にオリコン（折り畳みコンテナ）に詰めるという点が考慮されていないため、重量物により他の物品が破損する、あるいは後からピッキングした大きい物品のために、一度オリコンに詰めた小型の物品を取り出して詰め直すなどの手間が掛かっていた。つまり、従来技術においては、物品の重量や寸法を考慮して、最適なピッキング順を設定するための仕組みは存在しなかった。
【０００５】
本発明は、上記に鑑みてなされたものであって、最適なピッキング順を設定するための仕組みを実現可能な情報処理システム、情報処理方法およびプログラムを提供することを目的とする。
【課題を解決するための手段】
【０００６】
上述した課題を解決し、目的を達成するために、本発明は、複数の物品ごとに、該物品の重量および寸法を紐付けた物品リストを取得する第１の取得部と、前記物品リストに基づいて、重量および寸法の順に物品を並べ、その並べた結果を反映させて、複数の物品ごとに該物品の収納先となる棚を決定する決定部と、を備える情報処理システムである。
【発明の効果】
【０００７】
本発明によれば、最適なピッキング順を設定するための仕組みを実現できる。
【図面の簡単な説明】
【０００８】
【図１】図１は、物品を収納するための棚の配置と、ピッカーの経路を示す図である。
【図２】図２は、実施形態の情報処理システムの概略構成の一例を示す図である。
【図３】図３は、実施形態の物品リストの一例を示す図である。
【図４】図４は、実施形態のオーダリストの一例を示す図である。
【図５】図５は、実施形態の情報処理装置のハードウェア構成の一例を示す図である。
【図６】図６は、実施形態の情報処理装置が有する機能の一例を示す図である。
【図７】図７は、実施形態の棚配置リストの一例を示す図である。
【図８】図８は、実施形態のピッキングリストの一例を示す図である。
【図９】図９は、実施形態の情報処理装置の動作例を示すフローチャートである。
【図１０】図１０は、実施形態の情報処理装置の動作例を示すフローチャートである。
【発明を実施するための形態】
【０００９】
以下、添付図面を参照しながら、本発明に係る情報処理システム、情報処理方法およびプログラムの実施形態を詳細に説明する。
【００１０】
まず、本実施形態の具体的な実施形態を説明する前に、本実施形態が想定している倉庫管理システムの概要を説明する。図１は、物品を収納するための棚の配置とピッキング作業を行う人（ピッカー）の経路（動線）を示す図である。なお、ここでは、「ピッキング」または「ピッキング作業」とは、注文書等にしたがって、倉庫などで物品（商品や製品）を取り出していく作業のことを指す。図１の例では、開始位置からピッキングを開始し、Ａ１，Ａ２といったように経路に沿ってピッキングを行っていき、Ｃ４の棚のピッキングが終了すると、全作業終了となる。ここでは、ピッキングの上流側とは、経路の上流側（開始位置に近い側）を指し、ピッキングの下流側とは、経路の下流側（終了位置に近い側）を指す。
【００１１】
前述したように、従来においては、物品の寸法を考慮して、最適なピッキング順を設定していなかったため、重量物により他の物品が破損する、あるいは後からピッキングした大きい物品（寸法が大きい物品）のために、一度オリコンに詰めた小型の物品を取り出して詰め直すなどの手間が掛かっていた。
【００１２】
そこで、本実施形態では、重量および寸法の順に物品を並べ、その並べた結果を反映させて、複数の物品ごとに該物品の収納先となる棚を決定することで、最適なピッキング順を設定するための仕組みを実現可能にしている。以下、本実施形態の具体的な内容を説明する。
【００１３】
図２は、本実施形態の情報処理システム１の概略構成の一例を示す図である。図２に示すように、情報処理システム１は、サーバ２と、情報処理装置３と、を備え、これらは例えばインターネット等のネットワーク４を介して相互に接続可能である。
【００１４】
サーバ２は、各種の情報を記憶するデータベースサーバとして機能する。例えばサーバ２は、複数の物品ごとに、該物品の重量および寸法を紐付けた物品リストを記憶する。図３は、物品リストの一例を示す図である。また、例えばサーバ２は、注文を受けた１以上の物品を示すオーダリストを記憶する。図４は、オーダリストの一例を示す図である。さらに、例えばサーバ２は、情報処理装置３により生成される後述の棚配置リストや後述のピッキングリストを記憶する機能を有していてもよい。
【００１５】
次に、情報処理装置３の構成を説明する。この例では、情報処理装置３は、クライアントコンピュータなどのコンピュータにより構成される。図５は、本実施形態の情報処理装置３のハードウェア構成の一例を示す図である。図５に示すように、情報処理装置３は、ＣＰＵ（Central Processing Unit）１０１と、ＲＯＭ（Read Only Memory）１０２と、ＲＡＭ（Random Access Memory）１０３と、入力部１０４と、表示部１０５と、通信Ｉ/Ｆ（インタフェース）１０６と、を備える。
【００１６】
ＣＰＵ１０１は、情報処理装置３の動作を統括的に制御する。ＣＰＵ１０１は、ＲＡＭ１０３の所定の領域を作業領域として、ＲＯＭ１０２に記録された各種制御プログラムを実行して、情報処理装置３が有する各種の機能を実現させる。情報処理装置３が有する機能の具体的な内容については後述する。
【００１７】
ＲＯＭ１０２は、情報処理装置３に関わるプログラムや各種設定情報などを記憶する不揮発性のメモリ（書き換え不可能なメモリ）である。
【００１８】
ＲＡＭ１０３は、例えばＳＤＲＡＭなどの記憶手段であって、ＣＰＵ１０１の作業エリアとして機能し、バッファなどの役割を果たす。
【００１９】
入力部１０４は、ユーザーの操作を受け付けるためのデバイスである。
【００２０】
表示部１０５は、情報処理装置３に関する各種の情報を表示するデバイスであり、例えば液晶ディスプレイなどで構成される。なお、入力部１０４と表示部１０５とが一体的に構成される（例えばタッチパネルとして構成される）形態であってもよい。
【００２１】
通信Ｉ／Ｆ１０６は、ネットワーク４に接続するためのインタフェースである。
【００２２】
図６は、本実施形態の情報処理装置３が有する機能の一例を示す図である。図６に示すように、情報処理装置３は、第１の取得部１１１と、決定部１１２と、第２の取得部１１３と、ピッキングリスト生成部１１４と、を有する。説明の便宜上、図６の例では、本実施形態に関する機能を主に例示しているが、情報処理装置３が有する機能はこれらに限られるものではない。
【００２３】
第１の取得部１１１は、前述の物品リストを取得する。より具体的には、第１の取得部１１１は、サーバ２から前述の物品リストを取得する。
【００２４】
決定部１１２は、第１の取得部１１１により取得された物品リストに基づいて、重量および寸法の順に物品を並べ、その並べた結果を反映させて、複数の物品ごとに該物品の収納先となる棚を決定する。より具体的には、決定部１１２は、重量および寸法が大きい物品ほど上流側の棚に収納されるよう、該物品の収納先となる棚を決定する。また、決定部１１２は、複数の物品ごとに該物品が収納される棚を示す棚配置リストを生成する。
【００２５】
図７は、棚配置リストの一例を示す図である。複数の棚の配置が図１に示す態様であることを前提とすると、重量および寸法の大きい物品ほど該物品の収納先となる棚は上流側の棚であることが分かる。
【００２６】
また、上記の形態に限らず、例えば決定部１１２は、複数の物品ごとに、該物品の重量と寸法との重み付け加算（重量および寸法の各々の重みは任意に設定可能）を行って評価値を算出し、評価値が高い物品ほど上流側の棚に収納されるよう、該物品の収納先となる棚を決定する形態であってもよい。
【００２７】
図６に戻って説明を続ける。第２の取得部１１３は、前述のオーダリストを取得する。より具体的には、第２の取得部１１３は、サーバ２から前述のオーダリストを取得する。
【００２８】
ピッキングリスト生成部１１４は、第１の取得部１１１により取得された物品リストを参照して、第２の取得部１１３により取得されたオーダリストに示された物品を重量および寸法の順に並べ、その並べた結果に基づいて、ピッキングの順番を示すピッキングリストを生成する。より具体的には、ピッキングリスト生成部１１４は、重量および寸法が大きい物品ほどピッキングの順番が早くなるよう、ピッキングリストを生成する。例えば図３に示す物品リストが第１の取得部１１１により取得され、図４に示すオーダリストが第２の取得部１１３により取得された場合、ピッキングリスト生成部１１４は、図８に示すようなピッキングリストを生成する。図８の例では、ピッキングリストは、ピッキングの順番と、物品（この例では品番と品名との組み合わせ）とを紐付けた情報であるが、これに限らず、例えばピッキングリストは、ピッキングの順番と、物品と、該物品の収納先となる棚とを紐付けた情報であってもよい。
【００２９】
図９は、棚配置リストの生成手順の一例を示すフローチャートである。各ステップの具体的な内容は上述したとおりであるので、適宜に説明を省略する。
【００３０】
図９に示すように、まず第１の取得部１１１は、前述の物品リストを取得する（ステップＳ１）。次に、決定部１１２は、ステップＳ１で取得された物品リストに基づいて、該物品リスト中の複数の物品を重量および寸法の順に並べる（ステップＳ２）。次に、決定部１１２は、ステップＳ２の結果を反映させて各物品の収納先となる棚を決定し、前述の棚配置リストを生成する（ステップＳ３）。
【００３１】
図１０は、ピッキングリストの生成手順の一例を示すフローチャートである。図１０に示すように、まず第２の取得部１１３は、前述のオーダリストを取得する（ステップＳ１１）。次に、第１の取得部１１１は、前述の物品リストを取得する（ステップＳ１２）。次に、ピッキングリスト生成部１１４は、ステップＳ１２により取得された物品リストを参照して、ステップＳ１１により取得されたオーダリストに示された物品を重量および寸法の順に並べる（ステップＳ１３）。そして、ピッキングリスト生成部１１４は、ステップＳ１３の結果に基づいて、前述のピッキングリストを生成する（ステップＳ１４）。
【００３２】
以上に説明したように、本実施形態では、複数の物品ごとに該物品の重量および寸法を紐付けた物品リストに基づいて、重量および寸法の順に物品を並べ、その並べた結果を反映させて、各物品の収納先となる棚を決定する。より具体的には、重量および寸法が大きい物品ほど上流側の棚に収納されるよう、該物品の収納先となる棚を決定する。そして、前述の物品リストを参照して、注文を受けた１以上の物品を示すオーダリストに示された物品を重量および寸法の順に並べ、その並べた結果に基づいて、ピッキングの順番を示すピッキングリストを生成する。ピッカーは、このピッキングリストを確認しながらピッキング作業を実施することで、効率的にピッキング作業を実施できる。すなわち、以上の本実施形態の構成によれば、最適なピッキング順を設定するための仕組みを実現できる。
【００３３】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００３４】
なお、梱包部材が同一サイズの物品で内容物の重量だけが異なるといった場合は、重量と寸法のうち重量のみで把握することも可能である。また、物品の耐荷重（梱包材の剛性）を考慮してピッキング順を設定してもよい。例えば、上流側と下流側の棚の物品において、上流側の物品の重さが、下流側の物品が重なった場合でも耐えられる重さで、下流側の物品と上流側の物品のピッキング順を変更することにより効率的にピッキングを行える場合は、ピッキング経路を変更してもよい。
【００３５】
例えば上述の実施形態では情報処理システム１は、サーバ２と、情報処理装置３とから構成されていたが、例えばサーバ２の機能（前述の物品リスト、オーダリスト等を記憶する機能）が情報処理装置３に搭載された形態であっても構わない。つまり、上述の情報処理システム１が有する機能を１つの装置（情報処理装置３）で実現する形態であっても構わない。要するに、情報処理システム１は、上述の第１の取得部１１１に対応する機能と、上述の決定部１１２に対応する機能と、を少なくとも備えた形態であればよい。
【００３６】
また、上述した実施形態の情報処理システム１で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital Versatile Disk）、ＵＳＢ（Universal Serial Bus）等のコンピュータで読み取り可能な記録媒体に記録して提供するように構成してもよいし、インターネット等のネットワーク経由で提供または配布するように構成してもよい。また、各種プログラムを、ＲＯＭ等に予め組み込んで提供するように構成してもよい。
【符号の説明】
【００３７】
１      情報処理システム
２      サーバ
３      情報処理装置
１１１  第１の取得部
１１２  決定部
１１３  第２の取得部
１１４  ピッキングリスト生成部
【先行技術文献】
【特許文献】
【００３８】
【特許文献１】特開２００５−００１８３２号公報
【図１】
2018144964.tif 000003
【図２】
2018144964.tif 000004
【図３】
2018144964.tif 000005
【図４】
2018144964.tif 000006
【図５】
2018144964.tif 000007
【図６】
2018144964.tif 000008
【図７】
2018144964.tif 000009
【図８】
2018144964.tif 000010
【図９】
2018144964.tif 000011
【図１０】
2018144964.tif 000012